(57)【特許請求の範囲】
【請求項１】
ランプを収納する本体ケ−スをボルトとナットで支持具に固定する照明器具であって、本体ケ−スに固定され、本体ケ−スの天板の両側側縁を押圧する押圧部材と、前記押圧部材の中央付近から垂下させた指標板と、窓を形成した報知部材とを設け、ナットをボルトに捩じ込む際に、前記押圧部材で上板の両側側縁の変形を防止して基準レベルを維持し、天板の中央付近の弾性変形により前記指標板に形成した指標が報知部材の窓に表示されるときにナットの締め付けの限度を報知することを特徴とする照明器具。
【請求項２】
前記報知部材を本体ケ−スの天板と一体に形成したことを特徴とする請求項１に記載の照明器具。
【請求項３】
前記報知部材を着脱自在に本体ケ−スに取り付けたことを特徴とする請求項１に記載の照明器具。
【発明の詳細な説明】
【０００１】
【発明の属する技術分野】
本発明は、本体ケ−スをボルトとナットで支持具に固定する際のナットの締め付けの限度を示す指標部材を設けた照明器具に関する。
【０００２】
【従来の技術】
屋内用照明器具として、天井内に照明器具を取り付ける埋込形照明器具が知られている。このような埋込形照明器具は、天井面に照明器具が突出していないので、天井に照明器具を取り付けても空間が広くなり、圧迫感がないという利点がある。
【０００３】
図１０は、埋込形照明器具の一例を示す概略の側面図である。照明器具１の本体ケ−ス２は、支持具５にボルト３、ナット４で固定され、天井６、６の内部に配置される。本体ケ−ス２の内側にはランプ７、８が収納されており、ナット４をボルト３のねじ部に捩じ込み、締め付けることにより本体ケ−ス２を支持具５に固定する。本体ケ−ス２の内面は、反射面で形成されており、ランプ７、８の出力光を反射させて前方に照射する。
【０００４】
この際のナット４の締め付け力は、本体ケ−ス２の重量に応じて適宜調整され、本体ケ−ス２を支持具５に安定して固定するようにしている。このようにナット４をボルト３のねじ部に捩じ込むと、本体ケ−ス２の側端部２ａ、２ｂが天井６、６の表面に接触する。
【０００５】
前記したように、ナット４を締め付けることにより本体ケ−ス２を支持具５に固定しているが、ナット４の締め付けが適正でない場合には、本体ケ−ス２が天井面に対して傾いて取り付けられ、照明器具の取り付けが不安定になる。また、ナット４の締め付けが緩いと本体ケ−ス２を支持具５に安定して固定できなくなるので、作業者は本体ケ−スの重量からみて必要以上にナット４を強く締め付ける傾向がある。
【０００６】
このため、本体ケ−ス２の側端部２ａ、２ｂが天井６、６の表面に強い力で押圧されて破損することがある。更に、このような本体ケ−ス２の破損を防止するために、本体ケ−ス２と支持具５との間に補強板を介在させる必要があり、照明器具を取り付けるための部品数が増大し、コストが高くなる。
【０００７】
また、本体ケ−ス２に配置したランプ７、８からの出力光の照射面には、カバ−やル−バが取り付けられる場合がある。上記のように必要以上にナット４を強く締め付けると、本体ケ−スが変形して寸法精度に誤差が生じるので、これらのカバ−やルバ−との位置合わせできなくなることがある。
【０００８】
【発明が解決しようとする課題】
このように、本体ケ−ス２をボルト３とナット４で支持具５に固定する際には、本体ケ−ス２の重量からみて適正な力でナット４を締め付けなければならない。しかしながら、どの程度ナットをボルトに捩じ込めば適正な締め付けであるかの合理的な判断基準が設けられておらず、個々の作業者の判断に委ねている。このため、作業者はカンによりナットの締め付けを行なうので個人差が生じ、本体ケ−スを固定する際に、前記のように傾いて固定されたり、破損の発生が避けられないという問題があった。
【０００９】
本発明は、上記問題に鑑みてなされたものであり、本体ケ−スをボルトとナットで支持具に固定する際に、ナットを適正な締め付け力で締め付けることができる照明器具の提供を目的とするものである。
【００１０】
【課題を解決するための手段】
本発明の上記目的は、請求項１に係る発明において、照明器具を、ランプを収納する本体ケ−スをボルトとナットで支持具に固定する照明器具であって、本体ケ−スに固定され、本体ケ−スの天板の両側側縁を押圧する押圧部材と、前記押圧部材の中央付近から垂下させた指標板と、窓を形成した報知部材とを設け、ナットをボルトに捩じ込む際に、前記押圧部材で天板の両側側縁の変形を防止して基準レベルを維持し、上板の中央付近の弾性変形により前記指標板に形成した指標が報知部材の窓に表示されるときにナットの締め付けの限度を報知する構成とすることにより達成される。
【００１１】
また、請求項２に係る発明は、請求項１に係る発明において、前記報知部材を本体ケ−スの天板と一体に形成したことを特徴とする。
【００１２】
また、請求項３に係る発明は、請求項１に係る発明において、前記報知部材を着脱自在に本体ケ−スに取り付けたことを特徴とする。
【００１３】
本発明の請求項１に係る発明によれば、本体ケ−スをボルトとナットで支持具に固定する際に、ナットの締め付けの限度を示す指標を設けているので、作業者が本体ケ−スの重量からみてナットに必要以上に締め付け力を加えることを回避でき、本体ケ−スが傾いて取り付けられたり、ナットの締め付け時に本体ケ−スを破損することがなくなる。また、本体ケ−スの破損を防止するための補強板も不要となる。更に、カバ−やル−バを取り付ける際にも寸法誤差が生じないという効果が得られる。
【００１４】
本発明の請求項２に係る発明によれば、報知部材を本体ケ−スの天板と一体に形成したので、報知部材を形成するための別個の材料が不要となり、製造コストを低減することができる。
【００１５】
本発明の請求項３に係る発明によれば、報知部材を着脱自在に本体ケ−スに取り付けているので、本体ケ−スを支持具に固定した後には報知部材を本体ケ−スから除去することにより、本体ケ−ス内の不要な突出物による照明効果の低下を防止することができる。
【００１６】
【発明の実施の形態】
以下、本発明に係る実施の形態について図を参照して説明する。図２は本発明の実施の形態に係る照明器具の一例を示す概略の斜視図である。図１０の従来例と同一の部分または対応するところには同一の符号を付しており、詳細な説明は省略する。図２において、本体ケ−ス２の天板２ｃには、ボルト挿通孔１２、スリット１３形成されている。
【００１７】
２０は押圧部材で、両端に固定部２３、２４が形成され、中央には本体ケ−ス２に形成されたスリット１３に挿入される指標板２１が形成されている。指標板２１の所定の位置には、指標２２が形成されている。この指標２２は、マ−キングや筋入れ等により指標板２１に適宜付与することができる。
【００１８】
固定部２３、２４には、ネジ孔が設けられており、図示しないネジにより押圧部材２０を本体ケ−ス２に固定する。押圧部材２０を固定した本体ケ−ス２は、ボルト挿通孔１２から挿通されるボルト３にワッシャ１１を介してナット４を捩じ込んで、図示を省略した支持部材に固定される。
【００１９】
図３は、図２の矢視Ａ−Ａ断面でみた概略の側面図である。ナット４の捩じ込みが十分でない状態では、本体ケ−ス２の天板２ｃの両側側縁には、押圧部材２０の固定部２３、２４がほぼ水平な状態で載置されている。この状態では、本体ケ−ス２の天板２ａは基準レベルの位置にあるものとする。また、押圧部材２０の所定の位置に形成されている指標板２１は、天板２ａの上側に位置している。
【００２０】
図４は、図３においてボルト３にナット４を捩じ込んだ状態を示す概略の側面図である。ナット４の捩じ込みが進行するに従い、本体ケ−ス２の天板２ｃは、両側側縁が押圧部材２０の固定部２３、２４で押えられているので殆ど変形しないが、中央付近は梃子の作用で上側に弾性変形する。
【００２１】
このため、前記スリット１３内に指標板２１が次第に入り込み、指標２２が天板２ｃの内側、すなわちナット４の捩じ込み作業をしている作業者が目視できる位置に現れる。この指標位置が所定のレベルに達したときに、ナット４の捩じ込みは適正であるものと判断すれば良い。このように、押圧部材２０の両端に設けた固定部２３、２４は、ナット４をボルト３に捩じ込んだ際に、天板２ｃの両側側縁が基準レベルを維持するように作用する。
【００２２】
図１は、図２の照明器具の分解斜視図である。図１において、照明器具１０の本体ケ−ス２の天板２ｃに形成したスリット１３の側縁には、報知板１６を切り起こし、両側から抱持するように折り返し部１７、１８を形成する。
【００２３】
このように、報知板を本体ケ−スの天板と一体に形成したので、報知部材を形成するための別個の材料が不要となり、製造コストを低減することができる。また、スリット１３とボルト挿入孔１２との連接部には、リブ１４、１５を形成している。
【００２４】
押圧部材２０の固定部２３、２４には、ネジ孔２３ａ、２４ａが形成されている。本体ケ−ス２の両側側縁には所定の位置に、前記押圧部材２０のネジ孔２３ａ、２４ａと対応してネジ孔が形成されており、押圧部材２０をネジにより固定する。
【００２５】
図５は、押圧部材２０の指標板２１を、本体ケ−ス２の天板２ｃに切り起こした報知板１６に挿入した状態を示す概略の斜視図である。この例では、簡単のために天板２ｃのスリット１３のみを示し、ボルト挿通孔１２は図示を省略している。
【００２６】
図６は、図５の背面側からみた概略の斜視図である。図６に示すように、報知板１６には窓１９が形成されている。前記ナット４をボルト３に捩じ込んでいくに従い、押圧部材２０に形成した指標板２１が次第に報知板１６に沿って下方に進行し、先端が折り返し部１７、１８で案内されて更に下降する。
【００２７】
指標２２が窓１９の中央付近に表示された時点で、ナットの締め付けが適正締め付けであることを示している。このため、作業者は指標２２が窓１９に現れたところで捩じ込み作業を中止すれば良い。このように、ナットの締め付けの適否を指標２２に基づいて判断しているので、ナットの締め付けに作業者による個人差は発生せず、ナット４を本体ケ−スの重量からみて適正な締め付け力で締め付けることができる。
【００２８】
前記のような窓１９、指標２２による適正なナット４の締め付け力の表示は
、ボルト３とナット４で支持する本体ケ−スの最大重量に対応できるように設定されている。また、窓１９に指標２２が現れ始めると、ナット４の締め付けが適正状態に近づいたことを報知するので、作業者は予めナット４に加える締め付け力を調整することができる。
【００２９】
このため、ナット４には必要以上に締め付け力が作用することがなく、本体ケ−ス２が傾いて天井６に取り付けられたり、ナット４の締め付け時に本体ケ−ス２を破損することがなくなる。また、本体ケ−ス２の破損を防止するための補強板も不要となる。更に、本体ケ−ス２にカバ−やル−バを取り付けるための寸法誤差の発生も防止できる。
【００３０】
図７は、本発明の他の実施の形態に係る照明器具を示す概略の斜視図である。図５、図６と同一の部分または対応するところには同一の符号を付している。図７において、本体ケ−ス２の天板２ｃには、スリット１３の両側に係合孔１３ａ、１３ｂを形成する。
【００３１】
３０は本体ケ−ス２に着脱自在に取り付けられる報知部材で、先端両側には所定の間隙を介して係合爪３１、３２を対向して形成する。係合爪３１、３２は弾性変化によりその間隙の距離を変えることができる。また、後部には、指標板２１が挿入される挿通孔３４が形成されている。更に、一方側面の中央部には窓部３３が形成されている。
【００３２】
この報知部材３０は、係合爪３１、３２を天板２ａの係合孔１３ａ、１３ｂに挿入することにより本体ケ−スに取付けられる。また、弾性変化により係合爪３１、３２間の間隙の距離が変えられるので、本体ケ−スからの離脱も簡単に行なえる。このように、報知部材を着脱自在に本体ケ−スに取り付けているので、本体ケ−スを支持具に固定した後には報知部材を本体ケ−スから除去して、本体ケ−ス内の不要な突出物によって影が生じることにより、照明効果が低下することを防止できる。
【００３３】
図７の例においても、ナット４をボルト３に捩じ込んでいくに従い、インバ−タケ−ス２０に形成した延材部２１が、係合爪３１、３２間に形成されている間隙を通り、先端が挿通孔３４を通過して次第に取付部材３０の下方に進行する。指標２２が窓部３３の中央付近に表示された時点のナットの締め付けが適正締め付けであることを示しているので、作業者は指標２２が窓部１９に現れたところでネジ込み作業を中止すれば良い。
【００３４】
このように、本発明においては、ナットの適正な締め付け、すなわち締め付けの限度を指示する指標部材を設けているが、これらの指標部材はいずれも前記適正な締め付けに近づいていることを作業者に報知するので、作業者は予めナット４に加える締め付け力を調整することができる。このため、急激な力を加えてナット４の締め付けが強くなり過ぎる事態を回避することができる。
【００３５】
なお、上記の例において、押圧部材としては合成樹脂をモ−ルド加工したものや、金属板を板金加工したもの等、本体ケ−スの両側側縁を押圧する固定部に一定の剛性を有する部材を使用する。
【００３６】
図８は、本発明の他の実施の形態の照明器具を示す概略の斜視図であり、図９は図８の分解斜視図である。図８、図９の例では、本体ケ−スの両側側縁を押圧する部材として、インバ−タや安定器等の部品を収納するインバ−タケ−ス２０ａの両側に形成されている固定部２３、２４を用いるものである。
【００３７】
インバ−タケ−ス２０は、ほぼ有底の箱状に形成されており、一方の側面中央付近からは指標２２が形成されている指標板２１を垂下させている。また、指標板２１が形成されている側とは反対側の側面には、全長に亘り固定部２５が設けられており、両端と中央部には、本体ケ−スにネジで固定するためのネジ孔２５ａ、２５ｂ、２５ｃが形成されている。
【００３８】
【発明の効果】
以上説明したように、本発明の請求項１に係る発明によれば、本体ケ−スをボルトとナットで支持具に固定する際に、ナットの締め付けの限度を示す指標を設けているので、作業者が本体ケ−スの重量からみてナットに必要以上に締め付け力を加えることを回避でき、本体ケ−スが傾いて取り付けられたり、ナットの締め付け時に本体ケ−スを破損することがなくなる。また、本体ケ−スの破損を防止するための補強板も不要となる。更に、カバ−やル−バを取り付ける際にも寸法誤差が生じないという効果が得られる。
【００３９】
本発明の請求項２に係る発明によれば、報知部材を本体ケ−スの天板と一体に形成したので、報知部材を形成するための別個の材料が不要となり、製造コストを低減することができる。
【００４０】
本発明の請求項３に係る発明によれば、報知部材を着脱自在に本体ケ−スに取り付けているので、本体ケ−スを支持具に固定した後には報知部材を本体ケ−スから除去することにより、本体ケ−ス内の不要な突出物による照明効果の低下を防止することができる。
【図面の簡単な説明】
【図１】本発明の実施の形態に係る照明器具の一例を示す概略の分解斜視図である。
【図２】本発明の実施の形態に係る照明器具の一例を示す概略の斜視図である。
【図３】図２の矢視Ａ−Ａ断面でみた側面図である。
【図４】図６本体ケ−スの天板が変形した状態を示す側面図である。
【図５】押圧部材の指標板を報知板に挿入した状態を示す概略の斜視図である。
【図６】図５の背面からみた斜視図である。
【図７】本発明の別の実施の形態に係る照明器具の一部を示す概略の斜視図である。
【図８】本発明の別の実施の形態に係る照明器具を示す概略の斜視図である。
【図９】図８の概略の分解斜視図である。
【図１０】従来例の照明器具を示す概略の側面図である。
【符号の説明】
１、１０    照明器具
２    本体ケ−ス
２ａ  天板
３    ボルト
４    ナット
５    支持部材
６    天井
７、８  ランプ
１１    ワッシャ
１６    報知板
１３    スリット
１９    窓
２０    押圧部材
２０ａ  インバ−タケ−ス
２１    指標板
２２    指標
２３、２４、２５  固定部
３０    報知部材
【図１】
0003776258.tif 000002
【図２】
0003776258.tif 000003
【図３】
0003776258.tif 000004
【図４】
0003776258.tif 000005
【図５】
0003776258.tif 000006
【図６】
0003776258.tif 000007
【図７】
0003776258.tif 000008
【図８】
0003776258.tif 000009
【図９】
0003776258.tif 000010
【図１０】
0003776258.tif 000011